(57)【特許請求の範囲】
【請求項１】
座体の側方より起立する肘掛け支柱の上端に、前後方向を向く肘当てを設け、前記肘当てまたは肘掛け支柱における前記肘当ての上面よりも下方に、椅子の各部の位置もしくは付勢力等を調節する調節手段に連係されたワイヤを牽引する操作レバーを設けた椅子の肘掛け装置において、
前記肘掛け支柱の前面における前記操作レバーよりも下方に、上下方向を向くとともに、下端部が椅子における前記肘掛け支柱の取付部に設けられたワイヤ挿通孔に連通する凹溝を設け、この凹溝および前記ワイヤ挿通孔に、前記操作レバーに連係したワイヤを収容し、かつ前記凹溝の前面開口部を覆うカバーを、前記肘掛け支柱の前面に着脱自在に設けたことを特徴とする椅子の肘掛け装置。
【請求項２】
肘掛け支柱を、側面視が前傾する菱形枠状とし、その上端に、肘当てを、その前端部が前記肘掛け支柱における前傾する前支柱部の上端よりも前方に突出するようにして設け、前記前支柱部の前上部に上向きに操作可能な操作レバーを設けるとともに、この操作レバーの直下において、前記前支柱部の前面に凹溝を設けたことを特徴とする請求項１に記載の椅子の肘掛け装置。
【請求項３】
肘当ての前部と前支柱部の上端との間に、間隙を形成するための凹入段部を設けたことを特徴とする請求項２に記載の椅子の肘掛け装置。
【請求項４】
操作レバーを、凹溝と連通するようにして凹入段部に設けた後方に凹入する凹入部に収容したことを特徴とする請求項３に記載の椅子の肘掛け装置。
【発明の詳細な説明】
【技術分野】
【０００１】
本発明は、椅子の肘掛け装置に係り、特に、椅子の各部の位置もしくは付勢力等を調節する調節手段に連係されたワイヤを牽引する操作レバーを設けた椅子の肘掛け装置に関する。
【背景技術】
【０００２】
この種の椅子の肘掛け装置としては、例えば、特許文献１〜３に記載されているようなものがある。
【先行技術文献】
【特許文献】
【０００３】
【特許文献１】実開昭５９−１０６４８号公報
【特許文献２】実開昭６２−４０９５１号公報
【特許文献３】特開２００４−１１３５０１号公報
【発明の概要】
【発明が解決しようとする課題】
【０００４】
しかし、これらの特許文献１〜３に記載されている椅子の肘掛け装置は、いずれも、操作レバーと各種の調節手段とを連係するワイヤが、肘掛け支柱内を挿通しているため、組み付け時に、ワイヤを肘掛け支柱内に挿通させた後でなければ、ワイヤの両端末を、操作レバーと各種の調節手段とに接続することができない。すなわち、ワイヤの両端末を、操作レバーと各種の調節手段とに接続した後に、ワイヤを、肘掛け支柱内に挿通させることができない。
そのため、組み付け作業が煩雑で、時間がかかるとともに、ワイヤの点検や交換作業も面倒である。
【０００５】
本発明は、上述のような問題点を解決するためになされたもので、ワイヤの組み付け、点検、および交換作業を、いつでも自由に、短時間で、簡単に行えるようにした椅子の肘掛け装置を提供することを目的としている。
【課題を解決するための手段】
【０００６】
本発明によると、上記課題は、次のようにして解決される。
（１）座体の側方より起立する肘掛け支柱の上端に、前後方向を向く肘当てを設け、前記肘当てまたは肘掛け支柱における前記肘当ての上面よりも下方に、椅子の各部の位置もしくは付勢力等を調節する調節手段に連係されたワイヤを牽引する操作レバーを設けた椅子の肘掛け装置において、前記肘掛け支柱の前面における前記操作レバーよりも下方に、上下方向を向くとともに、下端部が椅子における前記肘掛け支柱の取付部に設けられたワイヤ挿通孔に連通する凹溝を設け、この凹溝および前記ワイヤ挿通孔に、前記操作レバーに連係したワイヤを収容し、かつ前記凹溝の前面開口部を覆うカバーを、前記肘掛け支柱の前面に着脱自在に設ける。
【０００７】
このような構成とすると、肘掛け支柱の前面に、上下方向を向く凹溝を設け、この凹溝に、操作レバーに連係したワイヤを収容し、かつこの凹溝の前面開口部を覆うカバーを、肘掛け支柱の前面に着脱自在に設けてあるので、カバーを外すことにより、ワイヤの中間部を、凹溝内に前方より簡単に出し入れすることができ、ワイヤの組み付け、点検、および交換作業を、いつでも自由に、短時間で、簡単に行うことができる。
また、操作レバーに連係されたワイヤを、凹溝と肘掛け支柱の取付部に設けられたワイヤ挿通孔内に収容した後、カバーを肘掛け支柱の前面に装着することにより、ワイヤが外部に露呈することがなく、美麗な外観を呈することができる。
【０００８】
（２）上記(１)項において、肘掛け支柱を、側面視が前傾する菱形枠状とし、その上端に、肘当てを、その前端部が前記肘掛け支柱における前傾する前支柱部の上端よりも前方に突出するようにして設け、前記前支柱部の前上部に上向きに操作可能な操作レバーを設けるとともに、この操作レバーの直下において、前記前支柱部の前面に凹溝を設ける。
【０００９】
このような構成とすると、肘当ての前端部に手をのせたままの状態で、前支柱部の前上部に設けた操作レバーを指で容易に上向き操作することができる。
また、操作レバーに連係されたワイヤを、操作レバーの直下において前支柱部の前面に設けた凹溝内に収容し易くなる。
【００１０】
（３）上記(２)項において、肘当ての前部と前支柱部の上端との間に、間隙を形成するための凹入段部を設ける。
【００１１】
このような構成とすると、肘当ての前部と、前支柱部の前上部に設けた操作レバーとが離間するので、肘当ての前端部に手をのせたままの状態で、操作レバーを、より容易に上向き操作することができる。
【００１２】
（４）上記(３)項において、操作レバーを、凹溝と連通するようにして凹入段部に設けた後方に凹入する凹入部に収容する。
【００１３】
このような構成とすると、操作レバーを、凹入段部に設けられた後方に凹入する凹入部に、前支柱部の前方より容易に収容しうるとともに、操作レバーに連係したワイヤを凹溝に容易に案内することが可能となる。
【発明の効果】
【００１４】
本発明によれば、カバーを外すことにより、ワイヤの中間部を、凹溝内に前方より簡単に出し入れすることができ、ワイヤの組み付け、点検、および交換作業を、いつでも自由に、短時間で、簡単に行うことができる。
また、操作レバーに連係されたワイヤを、凹溝と肘掛け支柱の取付部に設けられたワイヤ挿通孔内に収容した後、カバーを肘掛け支柱の前面に装着することにより、ワイヤが外部に露呈することがなく、美麗な外観を呈することができる。
【図面の簡単な説明】
【００１５】
【図１】本発明の肘掛け装置の一実施形態を備える椅子の側面図である。
【図２】同じく、肘掛け装置の部分を斜め前方より見た斜視図である。
【図３】同じく、分解斜視面図である。
【図４】同じく、背凭れ支持杆の前端部とカバーの下端とを、斜め後方より見た分解斜視面図である。
【図５】同じく、操作レバー用のハウジングへのカバーの上部の取付状態を、斜め後方より見た斜視面図である。
【図６】肘掛け支柱の前上部を中央で縦断した拡大縦断側面図である。
【発明を実施するための形態】
【００１６】
以下、本発明の一実施形態を、図面に基づいて説明する。
図１は、本発明の一実施形態を備える椅子の側面図である。
図１に示すように、この椅子１は、先端部にキャスタ２が設けられた放射状の複数本の脚杆３を有する脚体４を備えている。脚体４の中央には、伸縮式の脚柱５が立設され、脚柱５の上端には、支基６が設けられている。
【００１７】
支基６には、背凭れ７を支持する左右１対の背凭れ支持杆８の前下端部が、左右方向を向く軸９をもって枢支され、支基６内に設けられたリクライニング機構(図示略)により、背凭れ７および背凭れ支持杆８は、後傾しうるようになっている。
【００１８】
支基６の上方に配設された座体１０の前部は、左右１対の支持リンク１１をもって、支基６の前部に支持され、また座体１０の後部は、左右の背凭れ支持杆８の前向腕部８a(その一方のみを図示する)における前端寄りの部分に上向き突設された軸受片１２に、左右方向を向く軸１３をもって枢着され、座体１０は、背凭れ７および背凭れ支持杆８が後傾する際に、連動して、後下方に移動させられるようになっている。
【００１９】
図２および図３に示すように、左右の背凭れ支持杆８の前向腕部８aにおける軸受片１２の後方には、肘掛け支柱１４を取り付けるための直方体状の取付部１５が、軸受片１２と連続するようにして、一体的に形成されている。
【００２０】
取付部１５の外側面である、肘掛け支柱１４を取り付けるための取付面１６には、側面視上向砲弾形の前後１対の突部１７、１７が設けられており、各突部１７の上部には、左右方向を向くねじ孔１８がそれぞれ設けられている。
取付部１５における前方の突部１７より前方の部分には、左右方向に貫通するワイヤ挿通孔１９が設けられている。
【００２１】
肘掛け支柱１４は、取付部１５より座体の側方において起立するもので、この例では、側面視が前傾する菱形枠状をなし、その上端には、前後方向を向く肘当て２０が設けられている。
肘掛け支柱１４の下端部は、椅子１の内方に向かってほぼ９０°屈曲し、その内端面に設けた、上記突部１７、１７と補形をなす前後２個の凹部(図示略)を、上記突部１７、１７に嵌合し、かつ肘掛け支柱１４の下端部を左右方向に貫通する前後２個のボルト２１、２１を、ねじ孔１８、１８に螺合して締め付けることにより、取付部１５の外側面に強固に取り付けられている。
【００２２】
肘掛け支柱１４を取付部１５の外側面に取り付けたとき、ワイヤ挿通孔１９は、肘掛け支柱１４の前面に設けたほぼ上下方向を向く凹溝２２の下端部における肘掛け支柱１４の前面に沿って内方に屈曲した部分の内向きの開口端と連通するようになっている。
【００２３】
図６に示すように、肘掛け支柱１４における前傾する前支柱部１４aの上端には、肘当て２０の前部との間に間隙(Ｓ)を形成するための凹入段部２３が設けられている。
【００２４】
肘掛け支柱１４における凹入段部２３から前支柱部１４aの前面にかけての角部における左右方向の中間部には、上記凹溝２２の上端に連通するとともに、後方に凹入する凹入部２４が設けられ、ここに、操作レバー２５を収容するハウジング２６が前方より嵌合され、上下２個の取付ねじ２７、２７をもって固着されている。
【００２５】
操作レバー２５は、その先端部の操作部２５aが、ハウジング２６および前支柱部１４aの前面より前方に突出するようにして、その基端部が、左右方向を向く軸２８をもって枢着され、中間部の一側面に、側面視円弧状をなすワイヤ掛け部２９が設けられている。
【００２６】
ワイヤ３０は、その一方の端末に止着された横向きピン状のワイヤエンド部材３１が、ハウジング２６の中間部に係止され、かつそこから、操作レバー２５のワイヤ掛け部２９に掛け回された後、下方に向かい、ハウジング２６の下端部に一方の端末が止着された可撓性のアウターチューブ３２内に挿入されている。
【００２７】
ワイヤ３０とアウターチューブ３２とにより、ボーデンケーブル３３が形成されている。このボーデンケーブル３３は、ハウジング２６の下端より、肘掛け支柱１４の前面に設けた上記凹溝２２と、取付部１５におけるワイヤ挿通孔１９とを順次通って、背凭れ支持杆８の内方に引き出され、座体１０の下方に設けられた、図示を省略した各種の調節手段に接続されている。
【００２８】
調節手段としては、例えば、ワイヤ３０を牽引することにより、背凭れ７の回動を可能とし、ワイヤ３０が緩められることにより、背凭れ７の回動が停止させられるようにした背凭れ７の角度調節装置や、ワイヤ３０を牽引することにより、椅子１の伸縮式脚柱５内に設けたロック付きガススプリング(図示略)のロック解除ボタンを作動位置まで押動して、座体１０の高さ調節を可能とし、ワイヤ３０が緩められることにより、ロック解除ボタンが不作動位置に復帰して、座体１０の高さを固定するようにした座の高さ調節装置等のように、椅子１の各部の位置もしくは付勢力等を調節する公知の調節手段とすることができる。
【００２９】
操作レバー２５は、その側面に突設したピン３４が、ハウジング２６の側壁２６aに設けた、軸２８を曲率中心とする円弧孔３５内を遊動しうる範囲内において、軸２８を中心として、上下方向に回動することができ、常時は、図６に示す停止位置に位置し、操作部２５aを、図６に矢印で示すように、上方に回動させることにより、ワイヤ掛け部２９でワイヤ３０を上方に牽引し、調節手段を作動させることができる。
【００３０】
操作レバー２５から手を離すと、ワイヤ３０は、調節手段に内蔵されるか、または別途設けた復帰用のばね(図示略)により引き戻され、操作レバー２５)は、図６に示す停止位置へ戻される。
【００３１】
図２〜図５に示すように、肘掛け支柱１４の前面には、その前面形状と同形をなすように、下端部が内方に屈曲する正面視ほぼＪ字状のカバー３６が、ワイヤ３０が収容された凹溝２２の前面開口部を覆うように、着脱自在に装着されている。
【００３２】
カバー３６は、正面視ほぼＪ字状の前面板３７と、その上端部後面に後方に向けて突設され、かつ後端部に外向きの係合爪３８を有する左右1対の弾性係合片３９、３９と、前面板３７の中間部後面に突設され、かつ断面形が十文字の棒状をなす上下１対の突起４０、４０と、前面板３７の下端部における内方に屈曲した部分の内側縁に連設され、肘掛け支柱１４へのカバー３６の装着時に、肘掛け支柱１４の凹溝２２内に嵌合するとともに、取付面１６に当接するようにした後方を向く突片４１と、この突片４１の後端部に連設され、かつ肘掛け支柱１４へのカバー３６の装着時に、取付部１５のワイヤ挿通孔１９に嵌合され、その開口部の前縁に係止されるようにした内方を向く係止片４２とを備えている。
【００３３】
このカバー３６は、次のようにして、肘掛け支柱１４の前面に装着される。
すなわち、図３および図４に示すように、まず、カバー３６の下端内側における突片４１を、取付面１６に近接する肘掛け支柱１４の凹溝２２内に前方より嵌合した後、カバー３６全体を内方に移動して、係止片４２を取付部１５におけるワイヤ挿通孔１９に嵌合するとともに、突片４１を取付面１６に当接させる。
これにより、カバー３６の下端内側が、取付面１６と肘掛け支柱１４の基端部前面とに係止される。
【００３４】
次いで、図３および図５に示すように、カバー３６における左右１対の弾性係合片３９、３９を、ハウジング２６の前面より後方に向けて設けた左右１対の係合孔４３、４３に嵌合し、各係合爪３８を、係合孔４３の後端における外側の縁に係止させるとともに、前面板３７の中間部後面に突設した上下１対の突起４０、４０を、肘掛け支柱１４の前面における凹溝２２内に設けたボス孔４４、４４に圧嵌する。
【００３５】
係合爪３８が、係合孔４３の後端における外側の縁に係止されることにより、各弾性係合片３９は、係合孔４３、４３より抜け止めされ、カバー３６の上端部の前方への移動が阻止され、また、各弾性係合片３９が係合孔４３に嵌合されるとともに、各突起４０がボス孔４４に圧嵌さけることにより、カバー３６の上部と中間部との上下方向、左右方向および後方への移動が阻止され、カバー３６は、肘掛け支柱１４の前面に確実に装着される。
【００３６】
係合爪３８を、平面視において円弧状または山形としておくことにより、各弾性係合片３９を、係合孔４３から抜き出すことができ、それによって、カバー３６を、上記と逆の手順で、肘掛け支柱１４の前面から簡単に外すことができる。
【００３７】
この実施形態は、上記のような構成としてあるので、カバー３６を外すことにより、ワイヤ３０の中間部を、凹溝２２内に前方より簡単に出し入れすることができ、ワイヤ３０の組み付け、点検、および交換作業を、いつでも自由に、短時間で、簡単に行うことができる。
また、ワイヤ３０の中間部を、凹溝２２内に収容した後、カバー３６を肘掛け支柱１４の前面に装着することにより、凹溝２２内に収容したワイヤ３０が外部に露呈することがなく、美麗な外観を呈することができる。
【００３８】
凹溝２２の下端部を、椅子１における肘掛け支柱１４の取付部１５に設けたワイヤ挿通孔１９に連通させ、凹溝２２内に収容したワイヤ３０を、ワイヤ挿通孔１９に挿通させ、かつカバー３６の下端部に設けた係止片４２を、ワイヤ挿通孔１９の開口部に係止させてあるので、カバー３６の下端部を係止するための係合孔等を、肘掛け支柱１４や、その取付部１５等に特別に設ける必要がなく、構造を簡素化することができる。
また、ワイヤ挿通孔１９の開口部に係止させた係止片４２は、ワイヤ３０がワイヤ挿通孔１９の開口縁部に擦れて、傷つくのを防止するための保護材としても使用することができる。
【００３９】
カバー３６の下端部における、取付部１５に当接する縁部に、肘掛け支柱１４の凹溝２２内に嵌合する後方を向く突片４１を設け、この突片４１の先端部側面に設けた係止片４２を、突片４１が取付部１５に当接するようにして、ワイヤ挿通孔１９の開口部に嵌合して係止させてあるので、肘掛け支柱１４と、その取付部１５と、カバー３６との接合部分の体裁をよくすることができる。
【００４０】
カバー３６の上端部後面に、先端部に係合爪３８を有する弾性係合片３９を設け、この弾性係合片３９を、肘掛け支柱１４の前面、またはそこに取り付けた、操作レバー２５を収容するハウジング２６の前面に設けた係合孔４３に嵌合し、係合爪３８を、係合孔４３の後端縁部に係止させてあるので、カバー３６の上端部を、肘掛け支柱１４の前面に、簡単かつ確実に、装着することができ、取り外しも容易である。
【００４１】
また、カバー３６の中間部後面に突設した突起４０を、肘掛け支柱１４の前面に設けたボス孔４４に圧嵌してあるので、カバー３６の装着時に、突起４０をボス孔４４に向かって、後方に押し込むだけで、簡単にカバー３６の中間部が位置決めされて、体裁よく保持される。
【００４２】
なお、上記の実施形態においては、取付部１５は、背凭れ支持杆８に設けてあるが、これを支基６の側面や座体１０の下部側面に形成し、肘掛け支柱１４を支基６の側面や座体１０の下部側面に取り付けることもある。
また、弾性係合片３９を嵌合する係合孔４３は、ハウジング２６ではなく、肘掛け支柱１４に直接設けてもよい。
さらに、操作レバー２５は、肘当て２０の前部下面に設けることもある。
【符号の説明】
【００４３】
１  椅子
２  キャスタ
３  脚杆
４  脚体
５  脚柱
６  支基
７  背凭れ
８  背凭れ支持杆
８a 前向腕部
９  軸
１０  座体
１１  支持リンク
１２  軸受片
１３  軸
１４  肘掛け支柱
１４a 前支柱部
１５  取付部
１６  取付面
１７  突部
１８  ねじ孔
１９  ワイヤ挿通孔
２０  肘当て
２１  ボルト
２２  凹溝
２３  凹入段部
２４  凹入部
２５  操作レバー
２５a 操作部
２６  ハウジング
２６a 側壁
２７  取付ねじ
２８  軸
２９  ワイヤ掛け部
３０  ワイヤ
３１  ワイヤエンド部材
３２  アウターチューブ
３３  ボーデンケーブル
３４  ピン
３５  円弧孔
３６  カバー
３７  前面板
３８  係合爪
３９  弾性係合片
４０  突起
４１  突片
４２  係止片
４３  係合孔
４４  ボス孔
Ｓ  間隙
【図１】
0005356550.tif 000002
【図２】
0005356550.tif 000003
【図３】
0005356550.tif 000004
【図４】
0005356550.tif 000005
【図５】
0005356550.tif 000006
【図６】
0005356550.tif 000007